(57)【要約】    【課題】  各々検知された可視光測光値と赤外光測光値とを比較することで、被写界光の光源色を正確に判断することが可能な撮像装置を提供する。    【解決手段】  撮影レンズ１０５を介して入射した撮影被写界光の輝度を検出する輝度検出手段は、被写界光の赤外光成分と可視光成分とを分離するダイクロミラー１３２と、ダイクロミラー１３２により分離された可視光成分を測光する可視光測光センサ１３０と、ダイクロミラー１３２により分離された赤外光成分を測光する赤外光測光センサ１３１とから成り、可視光測光センサ１３０の可視光測光値と赤外光測光センサ１３１の赤外光測光値とを比較することによって、撮影レンズ１０５の焦点調節位置の補正を行う。【選択図】      図１
2006065076.tif 000002
【特許請求の範囲】
【請求項１】
撮影被写界の所定領域に対して撮影レンズの焦点調節を行う焦点調節手段と前記撮影レンズを介して入射した撮影被写界光の輝度を検出する輝度検出手段とを有する撮像装置であって、
前記輝度検出手段は、
被写界光の赤外光成分と可視光成分とを分離する光分離手段と、前記光成分分離手段により分離された可視光成分を測光する可視光測光手段と、前記光成分分離手段により分離された赤外光成分を測光する赤外光測光手段とから成り、
前記可視光測光手段の可視光測光値と前記赤外光測光手段の赤外光測光値とを比較することによって、前記撮影レンズの焦点調節位置の補正を行うことを特徴とする撮像装置。
【請求項２】
前記光成分分離手段は、カメラのファインダ光軸に対し所定角度を有した光軸上に配置された被写界光を結像するための結像レンズの後方に所定角度を有して配置され、前記可視測光手段と前記赤外光測光手段は、前記結像レンズに対して各々結像関係にあることを特徴とする請求項１記載の撮像装置。
【請求項３】
前記可視測光手段は可視光測光センサから成り且つ前記赤外光測光手段は赤外光測光センサから成ることを特徴とする請求項１または２記載の撮像装置。
【請求項４】
前記光成分分離手段は、波長選択性素子から成ることを特徴とする請求項１または２記載の撮像装置。
【請求項５】
前記波長選択性素子は、赤外光を反射し且つ可視光を透過するダイクロミラーであることを特徴とする請求項４記載の撮像装置。
【請求項６】
前記波長選択性素子は、赤外光を透過し且つ可視光を反射するダイクロミラーであることを特徴とする請求項４記載の撮像装置。
【請求項７】
前記波長選択性素子は、赤外光成分を吸収するフィルタ表面に赤外光成分を反射する物質を蒸着したダイクロミラーであることを特徴とする請求項４記載の撮像装置。
【請求項８】
撮影被写界の所定領域に対して撮影レンズの焦点調節を行う焦点調節工程と前記撮影レンズを介して入射した撮影被写界光の輝度を検出する輝度検出工程とを有する撮像装置の制御方法であって、
前記輝度検出工程は、被写界光の赤外光成分と可視光成分とを分離する光分離工程と、前記光成分分離工程により分離された可視光成分を測光する可視光測光工程と、前記光成分分離工程により分離された赤外光成分を測光する赤外光測光工程とから成り、
前記可視光測光工程の可視光測光値と前記赤外光測光工程の赤外光測光値とを比較することによって、前記撮影レンズの焦点調節位置の補正を行うことを特徴とする撮像装置の制御方法。
【請求項９】
請求項８に記載の撮像装置の制御方法を実現するためのコンピュータ読み取り可能なプログラムコードを有することを特徴とする制御プログラム。
【請求項１０】
請求項９に記載の制御プログラムを格納したことを特徴とする記憶媒体。
【発明の詳細な説明】
【技術分野】
【０００１】
本発明は、撮影被写界の輝度を検出する輝度検出手段と撮影被写体に対して撮影レンズの焦点を自動的に調節する焦点調節手段とを有する撮像装置、その撮像装置を制御する制御方法、その制御方法を実現するための制御プログラム及びその制御プログラムを格納した記憶媒体に関する。
【背景技術】
【０００２】
従来、一対の受光素子列に結像する一対の像の位置関係から測定対象の焦点を検出し、その検出結果に応じて撮影レンズを駆動し、撮影被写界像の焦点調節を行う、いわゆる位相差ＡＦ（オートフォーカス）方式の自動焦点調節装置が公知である（例えば、特許文献１，２参照）。
【特許文献１】特公平１−４５８８３号公報
【特許文献２】特開２０００−２９２６８２公報
【発明の開示】
【発明が解決しようとする課題】
【０００３】
上述した従来の位相差ＡＦ方式の焦点調節装置においては、撮影被写体を照明する光源、例えば、蛍光灯や白熱灯等が出す光の波長応じて、焦点調節装置を構成する光学系の収差のために、受光素子に結像する像の位置は異なってくる。そのため、撮影被写体照明用の光源によっては、撮影被写体のピントがぼけるという問題が発生している。
【０００４】
この問題に対して特許文献１である特公平１−４５８８３号公報には、撮影レンズに入射する被写体光束の可視光と赤外光の比率を焦点検出センサで検出し、その比率に応じて撮影レンズの合焦位置を補正する技術が開示されている。
【０００５】
また、特許文献２である特開２０００−２９２６８２号公報においては、被写体光束の可視光領域と赤外光領域にそれぞれ主感度を有する第１及び第２の測光手段が、焦点検出用の受光手段とは別に設けられており、これら第１及び第２の測光手段のそれぞれの測光値に応じて、補正手段によって撮影レンズの合焦位置を補正するものである。
【０００６】
この特許文献２では、カメラ（撮像装置）のレイアウトとして、部品点数を削減するために、カメラの遠隔操作を行うためのリモコン（リモートコントロール）信号を受光するリモコンセンサを、被写界の赤外光を検出する第２の測光手段としている。
【０００７】
しかしながら、前記第１の測光手段は、撮影被写界内を正確に可視光領域を測光しているが、第２の測光手段であるリモコンセンサは、撮影被写界を含めた広範囲な領域の赤外光を測光していることになり、実際に焦点検出を行うべき撮影被写界の一部の領域の光成分に対する赤外光成分量の判定を行うことが困難である。つまり、撮影被写界の同一領域に対して可視光波長と赤外光波長とを分離して測光を行う必要がある。
【０００８】
本発明は、上述した従来技術の有する問題点を解消するためになされたもので、その目的は、可視光測光出力値と赤外光測光出力値とを比較することで、被写界光の光源色を正確に判断することが可能な撮像装置、撮像装置の制御方法、制御プログラム及び記憶媒体を提供することである。
【課題を解決するための手段】
【０００９】
前記目的を達成するために本発明の撮像装置は、撮影被写界の所定領域に対して撮影レンズの焦点調節を行う焦点調節手段と前記撮影レンズを介して入射した撮影被写界光の輝度を検出する輝度検出手段とを有する撮像装置であって、前記輝度検出手段は、被写界光の赤外光成分と可視光成分とを分離する光分離手段と、前記光成分分離手段により分離された可視光成分を測光する可視光測光手段と、前記光成分分離手段により分離された赤外光成分を測光する赤外光測光手段とから成り、前記可視光測光手段の可視光測光値と前記赤外光測光手段の赤外光測光値とを比較することによって、前記撮影レンズの焦点調節位置の補正を行うことを特徴とするものである。
【００１０】
また、前記目的を達成するために本発明の撮像装置制御方法は、撮影被写界の所定領域に対して撮影レンズの焦点調節を行う焦点調節工程と前記撮影レンズを介して入射した撮影被写界光の輝度を検出する輝度検出工程とを有する撮像装置の制御方法であって、前記輝度検出工程は、被写界光の赤外光成分と可視光成分とを分離する光分離工程と、前記光成分分離工程により分離された可視光成分を測光する可視光測光工程と、前記光成分分離工程により分離された赤外光成分を測光する赤外光測光工程とから成り、前記可視光測光工程の可視光測光値と前記赤外光測光工程の赤外光測光値とを比較することによって、前記撮影レンズの焦点調節位置の補正を行うことを特徴とするものである。
【発明の効果】
【００１１】
可視光測光値と赤外光測光値とを比較することで、被写界光の光源色を正確に判断することが可能となる。
【発明を実施するための最良の形態】
【００１２】
以下、本発明の撮像装置、撮像装置の制御方法、制御プログラム及び記憶媒体の実施の形態を、図面に基づき説明する。
【００１３】
（第１の実施の形態）
まず、第１の実施の形態を、図１〜図７に基づき説明する。
【００１４】
なお、図１から図７において、同一の構成要素には同一符号を付してある。
【００１５】
図１は、第１の実施の形態に係る撮像装置であるデジタルカメラの概略内部構成を示す側面図である。
【００１６】
図１において、１０１はＣＰＵ（中央演算処理装置）で、本デジタルカメラの動作は、このＣＰＵ１０１により制御される。１０５は撮影レンズで、撮影被写界光を撮像素子であるＣＣＤ１０６上に結像させる。１０２はシャッタ（フォーカスプレーンシャッタ）で、撮影レンズ１０５からＣＣＤ１０６に到達する撮影被写界光の光量を制御する。撮影被写界光は、その一部が半透過主ミラー１２１及びサブミラー１２２によって、フィールドレンズ１２３、二次結像レンズ１２４及び焦点検出用のＣＣＤラインセンサ１１９から成る公知の位相差方式焦点検出ユニットに導かれ、撮影レンズ１０５で結像された被写界光のピントがＣＣＤ１０６の受光面に対して、どの方向にどれ位ずれているかという、いわゆるデフォーカス量として検出することができる。フィールドレンズ１２３、二次結像レンズ１２４及びＣＣＤラインセンサ１１９から成る公知の位相差方式焦点検出ユニットは、実際には、図３に示すようなファインダ画面上の３つの測光領域１１８ａ，１１８ｂ，１１８ｃの焦点検出が可能となっている。
【００１７】
前記位相差方式焦点検出ユニットにより検出されたデフォーカス量に対して、撮影レンズ１０５のレンズ駆動敏感度（レンズ固有の制御の細かさ）を考慮し、ＣＰＵ１０１は、図１の撮影レンズ駆動制御部１２５に撮影レンズ１０５を駆動させるための駆動量パルスを送り、撮影レンズ駆動制御部１２５は、送られてきた駆動量パルスに応じて図示しないパルスモータを駆動させ、撮影レンズ１０５を合焦位置に駆動させることで、自動焦点調節を行う（焦点検出手段）。
【００１８】
１２８はピント板で、撮影レンズ１０５のＣＣＤ１０６の結像面と等価の結像面に置かれていて、ピント板１２８に結像した被写界像を、ペンタプリズム１２７及び接眼レンズ１２６を通じて見ることのできるＴＴＬ方式の光学ファインダ構成となっている。
【００１９】
１３０は可視光測光センサ（可視光測光手段）で、撮影被写界の可視光の輝度を測定するものであり、結像レンズ１２９にてピント板１２８の被写界像を、視感度フィルタ１３３を通じて可視光測光センサ１３０上に結像している。可視光測光センサ１３０は、縦×横、各々３×５に分割された受光領域を有しており、図３に示すように、デジタルカメラのファインダ視野（被写界領域）の主要領域を３×５の領域に分割して、人間の視感度に合わせた波長にて測光することができる。
【００２０】
但し、図３における３×５の分割線は模式的に書いたものであり、実際に操作者は、前記分割線を見ることはできない。
【００２１】
結像レンズ１２９を通って集光されたピント板１２８の被写界光は、波長選択性素子（光分離手段）であるダイクロミラー１３２によって、その赤外光成分は反射され、該赤外光成分を除いた波長成分が透過し、上記説明の通り、可視光測光センサ１３０に結像される。
【００２２】
一方、ダイクロミラー１３２によって反射された被写界光の赤外光成分は、赤外光測光センサ（赤外光測光手段）１３１上に結像されることで、その輝度が測定可能となる。
【００２３】
赤外光測光センサ１３１は、可視光測光センサ１３０と全く同じセンサを用いているため、縦×横、各々３×５に分割された受光領域を持っており、両者は、共通の結像レンズ１２９によって被写界光の結像がなされているため、可視光測光センサ１３０と赤外光測光センサ１３１は、同一の被写界領域に対して各々３×５個の可視光輝度情報と赤外光輝度情報を得ることが可能となる。
【００２４】
図５（ａ）は、ダイクロミラー１３２の表面に蒸着されているダイクロコートの分光反射率、視感度フィルタ１３３の分光透過率及び測光センサ１３０，１３１の分光感度の一例を示す図、図５（ｂ）は、光源の種類（白熱電球、蛍光灯、自然光）と分光感度との関係を示す図であり、両図において、縦軸は相対感度を、横軸は波長をそれぞれ示す。
【００２５】
図５（ａ）に示すように、赤外光測光センサ１３１は、視感度フィルタ１３３を介していないため、赤外光長波長の領域の光まで光電変換が可能であり、図５（ａ）のダイクロコートの分光反射率特性が、例えば、略７００ｎｍより長波長側の光を反射することから、純粋に赤外光成分のみの測光が可能となることが分る。
【００２６】
一方、ダイクロミラー１３２を透過した被写界光は、例えば、略７００ｎｍより短い波長の光となり、視感度フィルタ１３３の分光透過率の特性に従って可視光測光センサ１３０に入射することになるので、可視光測光センサ１３０は、視感度に合わせた被写界輝度を測光することができる。
【００２７】
図４（ａ）は、図１の可視光測光センサ１３０と赤外光測光センサ１３１のレイアウトの一例を示す図であるが、上述した可視光測光センサ１３０に入射する可視光の分光特性が厳密に視感度に一致する必要がないか、或いはダイクロコート１３２ａの膜特性を変更して可視領域の透過率を視感度に近づけることで、視感度フィルタ１３３を省略することも可能である。
【００２８】
一方、図４（ｂ）は、図４（ａ）のダイクロミラー１３２を視感度フィルタ１３３ａに置き換えたレイアウトの一例を示す図である。視感度フィルタ１３３ａの表面には、図４（ａ）のダイクロコート１３２ａが蒸着されているので、可視光測光センサ１３０と赤外光測光センサ１３１とに入射する光の分光特性は、図４（ａ）のレイアウトで得られるものと同等となる。つまり、図４（ｂ）のようなレイアウトにすれば、ダイクロミラー１３２の基材ガラス分のコストダウンと、可視光測光センサ１３０の前面に配置されていた視感度フィルタ１３３を省略できることによるスペースの自由度が増えるという利点がある。
【００２９】
また、図４（ｃ）は、スペース或いはコスト上の観点から、可視光測光センサ１３０と赤外光測光センサ１３１とを同一にしなかった場合のレイアウトの一例を示す図である。ここでは、赤外光測光センサ１３１ａのセンサチップが可視光測光センサ１３０のチップよりも小さい場合であり、両測光センサ１３０，１３１ａがデジタルカメラの同一視野を測光するために、赤外測光センサ１３１ａの前面に結像レンズ１３４が配置される構成を採用している。
【００３０】
次に、再び図１に戻って説明すると、操作者が図示しないレリーズボタンを押すと、主ミラー１２１は、撮影レンズ１０５の光路外に退避し、該撮影レンズ１０５によって集光された被写界光は、シャッタ１０２で光量制御がなされ、ＣＣＤ１０６によって被写界像として光電変換処理された後、撮影済み画像として外部表示部１１３に表示される。この外部表示部１１３は、ＴＦＴカラー液晶表示器から成る。
【００３１】
図２は、第１の実施の形態に係るデジタルカメラの概略構成を示すブロック図である。
【００３２】
図２において、１０１はＣＰＵで、該ＣＰＵ１０１には、制御プログラムを格納しているＲＯＭ（リードオンリーメモリ）１０２、ＲＡＭ（ランダムアクセスメモリ）１０３、データ格納手段１０４、画像処理部１０８、ＬＣＤ制御部１１１、レリーズスイッチ（ＳＷ）１１４、電源を供給するためのＤＣ／ＤＣコンバータ１１７がそれぞれ接続され、画像処理部１０８には、ＣＣＤ制御部１０７及びＣＣＤ１０６が接続されている。該ＣＣＤ１０６は、有効画素数として、例えば、約５００万画素（２５６０×１９２０）を有している。
【００３３】
ＬＣＤ制御部１１１には、表示駆動部１１２及び表示部１１３が接続されている。表示部１１３は、ＣＣＤ１０６で撮像された画像を縦横各々１／８に間引き処理して、３２０×２４０の画像を表示することのできるＴＦＴカラー液晶表示器から成る（表示手段）。ＤＣ／ＤＣコンバータ１１７には、電池１１６から電源が供給される。
【００３４】
ＣＰＵ１０１は、ＲＯＭ１０２内に格納された制御プログラムに基づいて各種制御を行う。これらの制御の中には、画像処理部１０８から出力された撮影画像信号を読み込み、ＲＡＭ１０３へＤＭＡ転送を行う処理、ＲＡＭ１０３よりＬＣＤ制御部１１１へデータをＤＭＡ転送する処理、画像データをＪＰＥＧ圧縮して、ファイル形式でデータ格納手段１０４へ格納する処理等を行う。更に、ＣＰＵ１０１は、ＣＣＤ１０６、ＣＣＤ制御部１０７、画像処理部１０８及びＬＣＤ制御部１１１等に対してデータ取り込み画素数やデジタル画像処理の変更指示を行う。
【００３５】
１１９は焦点検出用の一対のラインＣＣＤセンサで、焦点検出制御部１２０は、これらラインＣＣＤセンサ１１９から得た電圧をＡ／Ｄ変換処理した後、ＣＰＵ１０１へ送る。また、焦点検出制御部１２０は、ＣＰＵ１０１の指示のもとに、ラインＣＣＤセンサ１１９の蓄積時間とＡＧＣ（オートゲインコントロール）の制御をも行う。
【００３６】
ＣＰＵ１０１は、焦点検出制御部１２０から送られてきた信号を処理することで、主要被写体に対する現在の焦点検出状態から主要被写体が合焦に至るためのレンズ駆動量を算出し、撮影レンズ駆動部１２５に対して指示を与え、撮影レンズ駆動部１２５は、ＣＰＵ１０１からの指示に基づいて、撮影レンズ１０５の中の焦点調節レンズを移動させることで、主被写体にピントを合わせることが可能となる。
【００３７】
また、レリーズＳＷ１１４の操作に伴う撮影動作の指示、更に、各素子への電源の供給をコントロールするための制御信号を、ＤＣ／ＤＣコンバータ１１７に対して出力する処理等も、ＣＰＵ１０１の制御に基づいて行われる。
【００３８】
ＲＡＭ１０３は、画像展開エリア１０３ａ、ワークエリア１０３ｂ、ＶＲＡＭ１０３ｃ、一時退避エリア１０３ｄを備えている。画像展開エリア１０３ａは、画像処理部１０８より送られてきた撮影画像（ＹＵＶデジタル信号）やデータ格納手段１０４から読み出されたＪＰＥＧ圧縮画像データを一時的に格納するためのテンポラリバッファとして、また、画像圧縮処理、解凍処理のための画像専用ワークエリアとして使用される。ワークエリア１０３ｂは、各種プログラムのための領域である。ＶＲＡＭ１０３ｃは、表示部１１３へ表示する表示データを格納する領域として使用される。一時退避エリア１０３ｄは、各種データを一時退避させるための領域である。
【００３９】
データ格納手段１０４は、ＣＰＵ１０１によりＪＰＥＧ圧縮された撮影画像データ、或いはアプリケーションより参照される各種付属データ等をファイル形式で格納しておくためのもので、フラッシュメモリから成る。
【００４０】
撮影レンズ１０５は、被写界像を光学的にＣＣＤ１０６へ投影するために複数枚のレンズで構成されている。ＣＣＤ１０６は、撮影レンズ１０５によって投影された撮影画像をアナログ電気信号に変換するためのものである。ＣＣＤ制御部１０７は、ＣＣＤ１０６に転送クロック信号やシャッタ信号を供給するためのタイミングジェネレータ、ＣＣＤ出力信号のノイズ除去、ゲイン処理を行うための回路及びアナログ信号を１０ビットデジタル信号に変換するためのＡ／Ｄ変換回路等を含んでいる。
【００４１】
画像処理部１０８は、ＣＣＤ制御部１０７より出力された１０ビットデジタル信号をガンマ変換処理、色空間変換処理、ホワイトバランス処理、ＡＥ処理、フラッシュ補正処理等の画像処理を行い、ＹＵＶ（４：２：２）フォーマットの８ビットデジタル信号を出力するものである。これら、撮影レンズ１０５、ＣＣＤ１０６、ＣＣＤ制御部１０７及び画像処理部１０８により撮像手段が構成されている。
【００４２】
ＬＣＤ制御部１１１は、画像処理部１０８から転送されたＹＵＶデジタル画像データ、或いはデータ格納手段１０４内の画像ファイルに対して、ＪＰＥＧの解凍を行ったＹＵＶデジタル画像データを受け取り、ＲＧＢデジタル信号へ変換した後に、表示駆動部１１２へ出力する処理を行う。表示駆動部１１２は、表示部１１３を駆動するための制御を行う。これらＬＣＤ制御部１１１、表示駆動部１１２及び表示部１１３により表示手段が構成されている。
【００４３】
レリーズＳＷ１１４は、撮影動作の開始を指示するためのスイッチである。このレリーズＳＷ１１４は、不図示のレリーズボタンの押下圧によって２段階のスイッチポジションが有り、第１段目のポジション（第１スイッチＳＷ１がオン）の検出で、ホワイトバランス、ＡＥ等のカメラ設定のロック動作が行われ、第２段目のポジション（第２スイッチＳＷ２がオン）の検出で、被写界画像信号の取り込み動作が行われる。
【００４４】
また、本実施の形態に係るデジタルカメラの焦点調節装置における焦点補正量（焦点調節位置の補正）を被写界光源色から判断して求めるために、ＣＰＵ１０１は、可視光測光センサ１３０と赤外光測光センサ１３１に対して測光制御を行う。これら測光センサ１３０，１３１により得られた測光輝度信号は、ＣＰＵ１０１に取りまれ且つＡＤ変換処理された後に、ＣＰＵ１０１は、後述するように被写界光源判定を行い、それによって得られた焦点補正量を、焦点検出ずれ量であるデフォーカス量に加味してレンズ駆動量を算出し、その算出結果を示す信号をレンズ駆動部１２５に送り、撮影レンズ（実際はレンズを構成している一部の焦点調節レンズ）１０５を駆動させることで、被写体は合焦状態に至る。
【００４５】
なお、被写界光源の判定処理については、後述する。
【００４６】
電池１１６は、リチャーチャブルの二次電池或いは乾電池である。また、ＤＣ／ＤＣコンバータ１１７は、電池１１６からの電源供給を受け、昇圧及びレギュレーションを行うことにより複数の電源を作り出し、ＣＰＵ１０１を初めとする各構成要素に必要な電圧の電源を供給している。このＤＣ／ＤＣコンバータ１１７は、ＣＰＵ１０１からの制御信号により、各々の電圧の電源の供給開始及び供給停止を制御できるようになっている。
【００４７】
次に、本実施の形態に係るデジタルカメラの動作について、図６を用いて説明する。
【００４８】
図６は、本実施の形態に係るデジタルカメラの動作の流れを示すフローチャートである。
【００４９】
図６において、まず、デジタルカメラを不作動状態から不図示の電源スイッチをオン（ＯＮ）にすると、デジタルカメラの電源がオン（ＯＮ）され（ステップＳ６００）、デジタルカメラはレリーズボタンが押し込まれてレリーズＳＷ１１４が第１段目のポジションになったか否かを、即ちレリーズＳＷ１１４の第１スイッチＳＷ１がオン（ＯＮ）になったか否かを、オン（ＯＮ）になるまでＣＰＵ１０１が判断する（ステップＳ６０１）。
【００５０】
そして、レリーズボタンが押し込まれてレリーズＳＷ１１４が第１段目のポジション（第１スイッチＳＷ１がオン）になったとＣＰＵ１０１が判断すると、撮影レンズ１０５の焦点検出領域を選択する選択モード（焦点検出領域選択モード）が、自動モードに設定されているか手動モードに設定されているか、即ち、測距点が任意であるか否かをＣＰＵ１０１が判断する（ステップＳ６０２）。
【００５１】
そして、撮影レンズ１０５の焦点検出領域選択モードが手動モードに設定されている（不図示の焦点検出領域選択スイッチをオンさせる）、即ち測距点が任意であるとＣＰＵ１０１が判断した場合は、撮影者が不図示のスイッチダイヤル操作で、図３の焦点検出領域１１８ａ、１１８ｂ、１１８ｃの内の１個を手動にて選択する任意選択が可能である。
【００５２】
一方、撮影レンズ１０５の焦点検出領域選択モードが自動モードに設定されている、即ち測距点が任意でないとＣＰＵ１０１が判断した場合は、前記図３の３個の焦点検出領域１１８ａ、１１８ｂ、１１８ｃにおけるデフォーカス量ＤＥＦ０〜ＤＥＦ２を基に、焦点検出領域自動選択サブルーチンによって前記３個の焦点検出領域の内の１個を自動的に選択する。この焦点検出領域自動選択のアルゴリズムとしては幾つかの方法が考えられるが、多点ＡＦ（オートフォーカス）デジタルカメラでは、公知となっている中央焦点検出領域に重み付けを置いた近点優先アルゴリズムが有効である（ステップＳ６０３）。
【００５３】
以上のように撮影レンズ１０５の焦点検出領域選択モードが、手動モード或いは自動モードに設定されていても、結果的に一つの焦点検出領域がＣＰＵ１０１により決定される（ステップＳ６０４）。
【００５４】
次に、前述の可視光測光センサ１３０より撮影被写界を３×５に分割された輝度情報を得た後、該輝度情報に基づいて所定の測光アルゴリズム演算に従ってデジタルカメラの露出値がＣＰＵ１０１により算出される。一方、可視光測光と同時に赤外光測光も赤外測光センサ１３１によって行われており、赤外光におけるデジタルカメラの最適露出値がＣＰＵ１０１により算出される（ステップＳ６０５）。
【００５５】
また、ここ（ステップＳ６０５）での測光動作は、後述する撮影動作（実際には主ミラーアップ動作）が行われるまで連続的に行われている。
【００５６】
なお、可視光測光センサ１３０による可視光測光と赤外測光センサ１３１による赤外測光とで得られる各々３×５の輝度情報から最適露出値算出を行うアルゴリズムは、単純な加算平均でも良いし、前記ステップＳ６０４において決定された焦点検出領域に対応した測光領域に最大の重み付けを行った演算であっても良い。
【００５７】
次に、前記ステップＳ６０５において得られた可視光測光によるデジタルカメラの最適露出値をＢＶａ、赤外光測光によるデジタルカメラの最適露出値をＢＶｂとすると、ＣＰＵ１０１は、ＢＶａとＢＶｂの差：δｄ＝ＢＶａ−ＢＶｂを算出し、このδ値に応じて撮影被写界の光源の種類をＣＰＵ１０１が判定し（ステップＳ６０６）、該光源の種類に応じた焦点位置補正量を、後述する焦点検出演算により得られる焦点検出ずれ量（デフォーカス量）に補正を加えることによりＣＰＵ１０１が決定する（ステップＳ６０７）ことで、各種の光源下における最適な焦点調節を行うことが可能である。
【００５８】
具体的には、図７に示す被写界光源判定表に基づいて、前記焦点位置補正量が決定される。つまり、可視光測光露出値と赤外測光露出値との差であるδｄを算出した後、該δｄ値が閾値Ａよりも大きい場合は、赤外光成分が非常に大きいと判断され、この場合、被写界光源は白熱灯であると判定される。その際の焦点検出ずれ量の焦点位置補正量は０となる。
【００５９】
これは、デジタルカメラの工場出荷時に焦点調節機能の調整を白熱灯の照明下のチャートで行っており、実際のデジタルカメラによる撮影を白熱灯の光源下で行う場合には、焦点検出機能の誤差は発生しないので、焦点検出ずれ量の補正は不要となる。
【００６０】
次に、δｄ値が、閾値Ａと閾値Ｂ（Ａ＞Ｂ）との間にある場合は、太陽光による光源、即ち自然光下の照明であると判定され、焦点位置補正量αが決定される。更に、δｄ値が閾値Ｂよりも小さい場合は、赤外光が殆ど無い蛍光灯の光源下の照明であると判定され、焦点位置補正量βが決定される。
【００６１】
なお、前記閾値Ａ，Ｂは、撮影被写界の照明用光源の種類を正しく判定するための定数であり、デジタルカメラのＣＰＵ１０１に実装されたＥＥＰＲＯＭ（不揮発性プログラマルメモリ）に格納されている。
【００６２】
続いて、焦点検出用のラインＣＣＤセンサ１１９は、前記ステップＳ６０４において決定された焦点検出領域に対し、再度焦点検出動作を実行する（ステップＳ６０８）。焦点検出がなされると、周知の如く、その出力としてデフォーカス量とその方向情報が得られるが、前記ステップＳ６０７において得られた光源の種類に応じた焦点位置補正量を前記デフォーカス量に加算し、これによって得られたデフォーカス量とデジタルカメラに装着された撮影レンズ１０５のレンズ駆動敏感度とから、最終的に求めるべき撮影レンズ１０５の繰り出し量が決定される。
【００６３】
次に、レンズ駆動を行う前の状態で焦点検出用のラインＣＣＤセンサ１１９の信号に従ってＣＰＵ１０１は、撮影レンズ駆動制御部１２５へ信号を送って、撮影レンズ１０５を所定量駆動させる（ステップＳ６０９）。
【００６４】
以上の動作により、撮影被写界の光源の種類に依存しない正確な自動焦点調節が可能となる。
【００６５】
次に、撮影者が合焦表示された状態のファインダ視野を見て、引き続き第１スイッチＳＷ１がオンし続けられているか否かをＣＰＵ１０１が判断する（ステップＳ６１０）。そして、引き続き第１スイッチＳＷ１がオンし続けられているとＣＰＵ１０１が判断した場合は、更にレリーズボタンを押し込んで第２スイッチＳＷ２がオンされたか否かをＣＰＵ１０１が判断する（ステップＳ６１１）。そして、レリーズボタンを押し込んで第２スイッチＳＷ２がオンされたとＣＰＵ１０１が判断した場合、ＣＰＵ１０１は、不図示のシャッタ制御部、絞り駆動部、ＣＣＤ制御部１０７へそれぞれ信号を送信して、公知の撮影動作を行う（ステップＳ６１２）。
【００６６】
一方、前記ステップＳ６１０において第１スイッチＳＷ１がオフ（ＯＦＦ）であるとＣＰＵ１０１が判断した場合は、前記ステップＳ６０１へ戻り、第１スイッチＳＷ１がオンになるまで待機状態となる。また、前記ステップＳ６１１において第２スイッチＳＷ２がオンでないとＣＰＵ１０１が判断した場合は、前記ステップＳ６１０へ戻り、第２スイッチＳＷ２がオンになるまで待機状態となる。
【００６７】
前記ステップＳ６１２における撮影動作は、まず、不図示のモータ制御部を介してモータに通電して主ミラー１２１をアップさせ、撮影レンズ１０５の図示しない絞りを絞り込んだ後、シャッタ１０２の図示しないマグネットＭＧ−１に通電し、シャッタ１０２の先幕を開放することで、ＣＣＤ１０６への被写界光の蓄積が開始される。所定のシャッタ秒時経過した後、前記マグネットＭＧ−２に通電がなされ、シャッタ１０２の後幕が閉じることで、ＣＣＤ１０６への被写界光の蓄積が終了する。次に、モータに再度通電がなされ、主ミラー１２１のダウン、シャッタ１０２のチャージを行い、一連のシャッタレリーズシーケンスの動作（撮影動作）が終了する。
【００６８】
一方、前記ステップＳ６１２における撮影動作によって、ＣＣＤ１０６に露光された被写界像に対して光電変換処理がなされ、画像処理部１０８にて約５００万画素（２５６０×１９２０）のデジタルデータに変換された後、そのデジタルデータがＲＡＭ１０３の画像展開エリア１０３ａへ一時的に格納される。次に、ＲＡＭ１０３の画像展開エリア１０３ａへ格納された２５６０×１９２０画素の全体画像のデジタルデータは、表示部１１３に表示するために、縦横各々１／８に間引き処理された３２０×２４０画素の全体画像データに変換された後、ＲＡＭ１０３の表示用のＶＲＡＭ１０３ｃに再度格納され、３２０×２４０画素の全体画像データが表示部１１３に表示され（ステップＳ６１３）、この表示部１１３に表示されたデータを見ることにより、操作者は、撮影された画像の全体像を確認することができる。
【００６９】
一方、ＲＡＭ１０３の画像展開エリア１０３ａに格納された２５６０×１９２０画素の全体画像デジタルデータは、ＪＰＥＧ圧縮処理された後、画像データとしてデータ格納手段１０４に記録される（ステップＳ６１４）。
【００７０】
次に、デジタルカメラは、再び操作者により何らかの操作部材による入力が行われるまで待機状態となり、その間、全体画像データを表示部１１３に表示し続ける。そして、操作者から入力が行われると、表示部１１３の全体画像データ表示を消灯し、操作者の入力に対応した状態に遷移し（ステップＳ６１５）、その後、前記ステップＳ６０１へ戻る。
【００７１】
以上詳述したように、本実施の形態によれば、撮影被写界光の輝度を検出する測光手段が、赤外光成分と可視光成分を分離する波長選択性素子によって分離された被写界光の可視領域を測光する可視光測光センサ１３０と同被写界光の赤外領域を測光する赤外光測光センサ１３１とから構成されており、両測光センサ１３０，１３１は、撮影被写界内の完全に同一範囲を測光しているために、各々の測光センサ１３０，１３１で検知された可視光測光値と赤外光測光値とを比較することで、被写界光の光源色を正確に判断することが可能となる。
【００７２】
また、被写界像を同一の結像レンズにて、可視光測光センサ１３０の受光センサと赤外光測光センサ１３１の受光センサに各々結像させるように構成しているので、装置そのものが省スペースとなり、デジタルカメラの小型化に貢献するものである。
【００７３】
（その他の実施の形態）
以上が本発明の実施の形態の説明であるが、本発明は、これら実施の形態に限られるものではなく、特許請求の範囲で示した機能、または実施の形態の構成が持つ機能を達成できる構成であれば、どのようなものであっても適用可能である。
【００７４】
また、本発明の目的は、前述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【００７５】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれることは言うまでもない。
【００７７】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれることは言うまでもない。
【図面の簡単な説明】
【００７８】
【図１】第１の実施の形態に係る撮像装置であるデジタルカメラの概略内部構成を示す側面図である。
【図２】第１の実施の形態に係る撮像装置であるデジタルカメラの概略構成を示すブロック図である。
【図３】第１の実施の形態に係る撮像装置であるデジタルカメラのファインダの表示例を示す図である。
【図４】第１の実施の形態に係る撮像装置であるデジタルカメラにおける可視光測光センサと赤外光測光センサのレイアウトの一例を示す図である。
【図５】第１の実施の形態に係る撮像装置であるデジタルカメラにおける可視光測光センサ、赤外光測光センサ、光学部品及び各種光源の分光特性図である。
【図６】第１の実施の形態に係る撮像装置であるデジタルカメラの撮影動作の流れを示すフローチャートである。
【図７】第１の実施の形態に係る撮像装置であるデジタルカメラにおける被写界光源判定表の一例を示す図である。
【符号の説明】
【００７９】
１０１    ＣＰＵ（中央演算処理装置）
１０５    撮影レンズ
１０６    ＣＣＤ（光電変換素子）
１１３    外部表示部
１１８ａ  焦点検出領域
１１８ｂ  焦点検出領域
１１８ｃ  焦点検出領域
１１９    焦点検出用ＣＣＤ（光電変換素子）
１２１    主ミラー
１２９    結像レンズ
１３０    可視光測光センサ（可視光測光手段）
１３１    赤外光測光センサ（赤外光測光手段）
１３２    ダイクロミラー（光分離手段）
１３３    視感度フィルタ（光分離手段）
【図１】
2006065076.tif 000003
【図２】
2006065076.tif 000004
【図３】
2006065076.tif 000005
【図４】
2006065076.tif 000006
【図５】
2006065076.tif 000007
【図６】
2006065076.tif 000008
【図７】
2006065076.tif 000009